(57)【要約】【課題】蓄冷された保冷容器をボトルの内部に吊持した構成とされた広口飲用タイプの飲料容器を提供する。【解決手段】ボトルの筒状部(3)は、開口壁部(8)と、該開口壁部の下端から内向きに形成されたほぼ水平の段部(9)を介して下向きに延設された内壁部(10)を有する。保冷容器(6)を吊持するアタッチメント(5)は、皿状体(15)を構成し、第１直径方向Ｘ１の両側に前記内壁部(10)に内嵌される嵌合壁部(16)(16)を形成し、該嵌合壁部の上端に前記段部(9)に載置されるフランジ部(17)を形成している。また、第２直径方向Ｘ２の両側のうち、一方の側に前記内壁部(10)から離間する注出壁部(18)を形成し、他方の側に通気口部(19)を形成している。アタッチメント(5)を筒状部(3)に内嵌した状態で、ボトル内部の飲料を注出する注出口(21)を前記内壁部(10)と注出壁部(18)の間に形成し、外気をボトル内部に導入する通気路(23)を前記注出壁部(18)に対向する通気口部(19)により形成している。【選択図】図４
2010111406.tif 000002
【特許請求の範囲】
【請求項１】
上部に開口部(2)を有する筒状部(3)を設けたボトル(4)と、前記筒状部に着脱自在に内嵌されるアタッチメント(5)と、ボトルの内部で前記アタッチメントに吊持される保冷容器(6)と、前記筒状部の開口部を着脱自在に施蓋するキャップ(7)とから成り、筒状部の開口縁(2a)にユーザの唇を当てた状態でボトルを傾けることにより開口部から注出する飲料を飲用するように構成した飲料容器において、
前記ボトルの筒状部(3)は、開口部(2)の内周縁部に開口壁部(8)を形成すると共に、該開口壁部の下端から内向きに形成されたほぼ水平の段部(9)を介して内壁部(10)を下向きに延設し、
前記アタッチメント(5)は、底壁(13)と周壁(14)を備えた皿状体(15)を構成し、該皿状体の直径方向であって相互に直交する第１直径方向Ｘ１と第２直径方向Ｘ２に関して、
前記皿状体(15)の第１直径方向Ｘ１の両側に位置して前記内壁部(10)に内嵌される嵌合壁部(16)(16)を形成すると共に、該嵌合壁部の上端に前記段部(9)に載置されるフランジ部(17)を形成し、
前記皿状体(15)の第２直径方向Ｘ２の両側のうち、一方の側に位置して前記内壁部(10)から離間する注出壁部(18)を形成し、他方の側に位置して通気口部(19)を形成しており、
前記アタッチメント(5)を筒状部(3)に内嵌した状態で、ボトル内部の飲料を注出する注出口(21)を前記内壁部(10)と注出壁部(18)の間に形成すると共に、外気をボトル内部に導入する通気路(23)を前記注出壁部(18)に対向する通気口部(19)により形成して成ることを特徴とする飲料容器。
【請求項２】
前記注出壁部(18)は、皿状体(15)の底壁(13)から注出口(21)に向けて傾斜するように形成され、前記通気口部(19)は、底壁(13)に臨むように形成されて成ることを特徴とする請求項１に記載の飲料容器。
【請求項３】
前記皿状体(15)のフランジ部(17a)から内側に突出する摘み片(20)を設けて成ることを特徴とする請求項１又は２に記載の飲料容器。
【請求項４】
前記保冷容器(6)は、上部開口(25)を形成する首部(24)の上端に容器フランジ(28)を備えると共に、該首部(24)に着脱自在に挿入される栓体(26)に前記容器フランジ(28)の上に重ね合わせられる栓体フランジ(29)を備えており、
前記アタッチメント(5)は、前記重ね合わせられた上下のフランジ(29)(28)を着脱自在に挟持する保持レール(30)を設けており、
前記保持レール(30)は、前記上下のフランジ(29)(28)を受け入れる導入部(31)(31)から該フランジの周方向に沿うようにほぼＵ形に延設されて成ることを特徴とする請求項１、２又は３に記載の飲料容器。
【発明の詳細な説明】
【技術分野】
【０００１】
本発明は、蓄冷された保冷容器をボトルの内部に吊持した飲料容器に関する。
【背景技術】
【０００２】
従来、蓄冷された保冷容器をボトルの内部に吊持した飲料容器が公知である。例えば、保冷容器に水等の液体を充填した状態で冷凍庫等により冷凍し、冷凍された保冷容器をボトルの内部に吊持させることにより、ボトルに収容した飲料を長時間保冷することができる。
【０００３】
【特許文献１】特開２００３−３１２７０６号公報
【発明の開示】
【発明が解決しようとする課題】
【０００４】
従来技術において、保冷容器をボトルの内部に吊持するために、ボトルの開口部を形成する筒状部にアタッチメントを着脱自在に内嵌し、該アタッチメントの下部に保冷容器を着脱自在に取付けるように構成されている。特許文献１の飲料容器は、開閉可能なプルトップ式の注出口筒を設け、口筒の小さな孔から飲料を注出する構成であるから、アタッチメントに必要とされる飲料の連通路は自由に設計可能であり、その設計に制約がなく、特別な創意工夫を要しない。
【０００５】
しかしながら、広口状とされた筒状部の開口縁にユーザの唇を当て、ボトルを傾けることにより広口の開口部から注出する飲料を飲用する形式の飲料容器（以下「広口飲用タイプの飲料容器」という。）においては、アタッチメントに形成した注出口から筒状部の開口縁に向けて飲料を流出させる際に、注出口の周りで飲料の流れがアタッチメントにより遮られるので、注出口を通過する飲料の流束や流速が変動するおそれがある。換言すれば、開口縁に当てたユーザの唇に向かう飲料の流束や流速が変動すると、ユーザが飲料をスムースに飲むことが困難となり、飲料がユーザの口元から溢出ないし漏出するおそれがあり、衣服を汚損するという問題がある。
【０００６】
この点に関し、アタッチメントに遮られた飲料の流出がスムースとなるように構成するためには、該アタッチメントに通気口を設け、外気をボトルの内部に導くことが必要になる。しかしながら、この場合、反対に、通気口を介して飲料が外部に流出するおそれを生じるという問題がある。
【０００７】
このため、保冷容器を吊持した広口飲用タイプの飲料容器を提供するためには、アタッチメントの形状と構造、特に、注出口と通気口の構成に関して解決すべき課題がある。
【０００８】
更に、アタッチメントと保冷容器の着脱構造についても、着脱作業の容易性と、取付状態における安定性の点に関して解決すべき課題がある。
【課題を解決するための手段】
【０００９】
本発明は、上記課題を解決した飲料容器を提供するものであり、その手段として構成したところは、上部に開口部を有する筒状部を設けたボトルと、前記筒状部に着脱自在に内嵌されるアタッチメントと、ボトルの内部で前記アタッチメントに吊持される保冷容器と、前記筒状部の開口部を着脱自在に施蓋するキャップとから成り、筒状部の開口縁にユーザの唇を当てた状態でボトルを傾けることにより開口部から注出する飲料を飲用するように構成した飲料容器において、前記ボトルの筒状部は、開口部の内周縁部に開口壁部を形成すると共に、該開口壁部の下端から内向きに形成されたほぼ水平の段部を介して内壁部を下向きに延設し、前記アタッチメントは、底壁と周壁を備えた皿状体を構成し、該皿状体の直径方向であって相互に直交する第１直径方向Ｘ１と第２直径方向Ｘ２に関して、前記皿状体の第１直径方向Ｘ１の両側に位置して前記内壁部に内嵌される嵌合壁部を形成すると共に、該嵌合壁部の上端に前記段部に載置されるフランジ部を形成し、前記皿状体の第２直径方向Ｘ２の両側のうち、一方の側に位置して前記内壁部から離間する注出壁部を形成し、他方の側に位置して通気口部を形成しており、前記アタッチメントを筒状部に内嵌した状態で、ボトル内部の飲料を注出する注出口を前記内壁部と注出壁部の間に形成すると共に、外気をボトル内部に導入する通気路を前記注出壁部に対向する通気口部により形成して成る点にある。
【００１０】
本発明の好ましい実施形態において、前記注出壁部は、皿状体の底壁から注出口に向けて傾斜するように形成され、前記通気口部は、底壁に臨むように形成されている。
【００１１】
前記皿状体は、フランジ部から内側に突出する摘み片を設けていることが好ましい。
【００１２】
前記保冷容器は、上部開口を形成する首部の上端に容器フランジを備えると共に、該首部に着脱自在に挿入される栓体に前記容器フランジの上に重ね合わせられる栓体フランジを備えている。これに対して、前記アタッチメントは、前記重ね合わせられた上下のフランジを着脱自在に挟持する保持レールを設けている。この際、前記保持レールは、前記上下のフランジを受け入れる導入部から該フランジの周方向に沿うようにほぼＵ形に延設されている。
【発明の効果】
【００１３】
本発明の飲料容器１は、ボトル４に飲料Ｄを収容した後、蓄冷手段Ｃにより蓄冷された保冷容器６をアタッチメント５に装着した状態で、該保冷容器６をボトル４の内部に挿入すると共に、アタッチメント５を筒状部３に内嵌させ、このように保冷容器６をボトル４の内部に吊持させた状態で、筒状部３をキャップ７で施蓋することにより、長時間にわたり飲料Ｄの保冷を可能にする。
【００１４】
そこで、ユーザが飲料Ｄを飲用するときは、キャップ７を取外し、筒状部３の開口部２から視認することにより注出口２１の位置を確認した後、注出口２１を下側として該注出口２１に臨む開口縁２ａに唇を当て、ボトル４を傾けることにより、注出口２１から流出する飲料を飲むことができる。
【００１５】
ボトル４を傾けると、内部の飲料Ｄが一斉にアタッチメント５に向けて流動し、該アタッチメント５の底壁１３により受け止められる。この際、ユーザの唇に向かう注出口２１が下側に位置し、通気路２３を形成する通気口部１９が上側に位置するので、通気路２３から飲料Ｄが外部に流出するおそれはない。また、注出口２１の両側に位置する周壁１４、１４は、筒状部３の内壁部１０に内嵌されているので、この部分から飲料Ｄが外部に流出することはない。
【００１６】
飲用中、外気が通気路２３を介してボトル４の内部に導かれるので、飲料Ｄは、狭い注出口２１から流束や流速を変動することなくスムースに注ぎ出される。従って、飲料Ｄは、ユーザの口元から溢出ないし漏出するようなことはなく、容易に飲用可能なように注出される。
【００１７】
注出口２１は、筒状部３と注出壁部１８の相互間に形成される構成であるから、別途、複雑な形状又は構造とした注出口部材を設ける必要はなく、アタッチメント５をシンプルに構成するだけで所期の効果を実現できる。
【００１８】
この際、請求項２に記載の本発明によれば、注出壁部１８は、皿状体１５の底壁１３から注出口２１に向けて傾斜するように形成されているので、注出口２１が出口側の開口縁２ａに向けて次第に窄められ、これにより、注出される飲料Ｄの流束と流速を飲み易いように制御する。
【００１９】
例えば、飲用開始時にボトル４を過度に傾かせたとき、ボトル４の内部の飲料Ｄが一斉に注出口２１に向けて流れる。また、飲用中、ボトル４に予期しない衝撃や振動が加えられると、ボトル４の内部で飲料Ｄが波打ち状に変動し、多量の飲料Ｄが注出口２１に向けて流れようとする。このような場合、傾斜した注出壁部１８により注出口２１が注出方向に窄められており、注出される飲料Ｄの流束と流速を一定となるように制御し、飲用を容易とする。
【００２０】
また、通気口部１９を皿状体１５の底壁１３に臨むように形成しているので、前述のように波打ち状に変動した飲料Ｄがボトル４の内部で飛び跳ねることにより、通気口部１９から溢出したとしても、溢出した飲料Ｄは、皿状体１５の底壁１３に沿って注出壁部１８に流下させられ、該注出壁部１８から注出口２１に向けて集束される。従って、ユーザの口元から溢出又は漏出するようなことはない。
【００２１】
そして、請求項３に記載の本発明によれば、皿状体１５のフランジ部から内側に突出する摘み片２０を設けているので、アタッチメント５を筒状部３に内嵌させ又は取出す作業が容易となる。
【００２２】
更に、請求項４に記載の本発明によれば、保冷容器６に栓体２６を装着した状態で、相互に重ね合わせられた容器フランジ２８と栓体フランジ２９を導入部３１、３１からＵ形に延びる保持レール３０に装着する構成とされ、保持レール３０により上下のフランジ２８、２９を挟持するものであるから、アタッチメント５に対する保冷容器６の取付固定状態が安定し、ボトル４の内部で栓体２６と保冷容器６が相互に離脱し、蓄冷手段Ｃを飲料Ｄに混入させるような事故を生じるおそれはない。
【発明を実施するための最良の形態】
【００２３】
以下図面に基づいて本発明の好ましい実施形態を詳述する。
【００２４】
図１ないし図４に示すように、飲料容器１は、上部に広口の開口部２を有する筒状部３を設けたボトル４と、前記筒状部３に着脱自在に内嵌されるアタッチメント５と、ボトル４の内部で前記アタッチメント５に吊持される保冷容器６と、前記筒状部３の開口部２を着脱自在に施蓋するキャップ７とから成る。
【００２５】
前記保冷容器６は、蓄冷手段Ｃを収容する。例えば、保冷容器６に充填した水等の液体を冷凍庫等で冷凍することにより蓄冷手段Ｃを形成し、又は、保冷容器６に充填した蓄冷剤を冷蔵庫等で蓄冷することにより蓄冷手段Ｃを形成し、このように蓄冷された保冷容器６をボトル４の内部に吊持させることにより、ボトル４に収容した飲料Ｄを長時間保冷する。
【００２６】
飲料容器１は、上述の「広口飲用タイプの飲料容器」を構成しており、ユーザが飲料Ｄを飲用する際は、図４に示すように、キャップ７を取外した状態で、広口状とされた筒状部３の開口縁２ａにユーザの唇を当て、ボトル４を傾けることにより広口の開口部２から注出する飲料を飲用する。
【００２７】
図５及び図６に示すように、ボトル４の筒状部３は、断面真円形の円筒状とされ、開口部２の内周縁部に開口壁部８を形成すると共に、該開口壁部８の下端から内向きに形成されたほぼ水平の段部９を介して内壁部１０を延設し、該内壁部１０の下端から下向きに広がるボトル肩部１１を形成している。図示実施形態において、前記開口壁部８は、段部９の上方の所定位置に周方向に間隔をあけて延びる複数のリブ１２を突設している。但し、該リブ１２の開口壁部８からの突出高さは僅かとなるように形成されている。
【００２８】
前記アタッチメント５は、図５ないし図８に示すように、底壁１３と周壁１４を備えた皿状体１５を構成している。該皿状体１５は、その直径方向であって相互に直交する第１直径方向Ｘ１と第２直径方向Ｘ２に関して、第１直径方向Ｘ１の両側に位置して前記内壁部１０に内嵌される嵌合壁部１６、１６を形成すると共に、該嵌合壁部１６の上端に前記段部９に載置されるフランジ部１７を形成している。また、第２直径方向Ｘ２の両側のうち、一方の側に位置して前記内壁部１０から離間する注出壁部１８を形成し、他方の側に位置して通気口部１９を形成している。
【００２９】
具体的に説明すると、前記底壁１３は、第１直径方向Ｘ１の両側に位置する周縁を前記内壁部１０に沿う円弧縁に形成し、該円弧縁から嵌合壁部１６を立設することにより、該嵌合壁部１６を円弧状に形成している。また、第２直径方向Ｘ２の両側に位置する周縁を第１直径方向Ｘ１とほぼ平行で概ね直線状となる直縁部１８ａ、１９ａに形成し、一方の直縁部１８ａから前記注出壁部１８を立設するが、他方の直縁部１８ｂを開放することにより通気口部１９を形成している。
【００３０】
図示実施形態の場合、前記嵌合壁部１６、１６のフランジ部１７、１７は、通気口部１９の上方に位置して、円周上で相互に連結される延長フランジ部１７ａを延設しており、該延長フランジ部１７ａから皿状体１５の内側に突出する摘み片２０を設けている。
【００３１】
そこで、アタッチメント５は、底壁１３を下向きとして筒状部３の開口部２から挿入すると、フランジ部１７、１７、１７ａがリブ１２を乗り越えて段部９に載置されることにより開口壁部８に内嵌され、周壁１４、１４を内壁部１０に内嵌される。これにより、図６（Ａ）に示すように、フランジ部１７、１７、１７ａが上下からリブ１２と段部９により挟持され、しかも、周壁１４、１４が内壁部１０に内嵌されるので、アタッチメント５は、筒状部３の内部でガタツキなく定置される。
【００３２】
筒状部３にアタッチメント５を内嵌した状態で、図６（Ｂ）に示すように、前記注出壁部１８が内壁部１０から離間することにより、該内壁部１０と注出壁部１８の間に注出口２１を形成する。この際、注出壁部１８は、皿状体１５の底壁１３から注出口２１に向けて角度θで傾斜するように形成されており、これにより、注出壁部１８の外側面が注出口２１を筒状部３の内部から開口縁２ａに向けて次第に窄めるガイド面２２を形成する。
【００３３】
また、この状態で、前記注出壁部１８に対向する位置（第２直径方向Ｘ２に関する反対側の位置）において、直縁部１８ｂが内壁部１０から離間し、通気口部１９により外気をボトル４の内部に導入する通気路２３を形成する。
【００３４】
尚、アタッチメント５を筒状部３から取出す際は、摘み片２０に指先を係止することにより持ち上げれば、フランジ部１７、１７、１７ａがリブ１２を乗り越えて開口部２から上方に移動し、皿状体１５の全体が筒状部３から取出される。
【００３５】
前記保冷容器６は、図７及び図８に示すように、首部２４の上部に開口２５を形成し、前記首部２４に栓体２６の栓部２７を挿脱自在に挿着することにより、開口２５を密閉するように構成されている。前記首部２４の開口１２の外周縁には容器フランジ２８が形成され、前記栓体１６の頭部の外周縁には栓体フランジ２９が形成されており、首部２４に栓部２７を挿着した状態で、容器フランジ２８の上に栓体フランジ２９が重ね合わせられるように構成されている。
【００３６】
これに対して、皿状体１５を構成するアタッチメント５は、図８に示すように、底壁１３の底面に、前記重ね合わせられた容器フランジ２８と栓体フランジ２９を着脱自在に挟持する保持レール３０を設けている。該保持レール３０は、前記上下重合されたフランジ２８、２９を受け入れる導入部３１、３１から該フランジ２８、２９の周方向に沿うようにほぼＵ形に延設されている。図示実施形態において、保持レール３０は、前記フランジ２８、２９の外周を包囲する垂直壁３０ａと、該垂直壁３０ａから内向きに形成された水平壁３０ｂを備えており、前記導入部３１、３１の近傍に位置して、水平壁３０ｂを内側に円弧状に突出させることにより狭窄部３２、３２を形成している。また、保持レール３０により囲まれた領域内に位置する底壁１３の底面１３ａには、前記フランジ２８、２９の受入れ方向（前記第２直径方向Ｘ２）に延びる膨出リブ３３が形成されている。
【００３７】
そこで、保冷容器６に栓体２６を挿着した状態で、重ね合わせられた上下フランジ２８、２９を導入部３１、３１から保持レール３０に挿入すると、アタッチメント５の下部に保冷容器６が装着される。即ち、栓体２６の上面２６ａを底壁１３の底面１３ａに沿わせる姿勢として、重ね合わせられた上下フランジ２８、２９を導入部３１、３１から保持レール３０の垂直壁３０ａに沿って挿入すると、首部２４が狭窄部３２、３２を乗り越えるや否や水平壁３０ｂの内周縁に抱持され、上下フランジ２８、２９が底面１３ａと水平壁３０ｂの間に挟持される。この状態で、栓体２６の上面２６ａが膨出リブ３３に密接しており、しかも、首部２４が狭窄部３２、３２の間で水平壁３０ｂの内周縁に抱持されるので、アタッチメント５と保冷容器６は、相互にガタツキなく定置状態で連結される。
【００３８】
保冷容器６をアタッチメント５から取外す際は、上下フランジ２８、２９を導入部３１、３１から引き抜くように、保冷容器６とアタッチメント５を離反方向に移動すると、首部２４が狭窄部３２、３２を乗り越え外部に取出される。
【００３９】
飲料容器１は、ボトル４に飲料Ｄを収容した後、蓄冷手段Ｃにより蓄冷された保冷容器６をアタッチメント５に装着した状態で、該保冷容器６をボトル４の内部に挿入すると共に、アタッチメント５を筒状部３に内嵌させ、これにより保冷容器６をボトル４の内部に吊持させた状態で、筒状部３をキャップ７で施蓋し、自由に携帯することができるものであり、携帯中、長時間にわたり飲料Ｄを保冷することができる。
【００４０】
ところで、ユーザが飲料Ｄを飲用するときは、キャップ７を取外し、筒状部３の開口部２から視認することにより注出口２１の位置を確認した後、図４に示すように、注出口２１を下側として該注出口２１に臨む開口縁２ａに唇を当て、ボトル４を傾けることにより、注出口２１から流出する飲料を飲むことができる。
【００４１】
ボトル４を傾けると、内部の飲料Ｄが一斉にアタッチメント５に向けて流動し、該アタッチメント５の底壁１３により受け止められる。この際、ユーザの唇に向かう注出口２１が下側に位置し、通気路２３を形成する通気口部１９が上側に位置するので、通気路２３を介して飲料Ｄが外部に流出することはない。また、注出口２１の両側に位置する周壁１４、１４は、筒状部３の内壁部１０に内嵌されているので、この部分から飲料Ｄが外部に流出することはない。
【００４２】
飲用中、外気が通気路２３を介してボトル４の内部に導かれるので、飲料Ｄは、狭い注出口２１から流束や流速を変動することなくスムースに注ぎ出される。従って、飲料Ｄは、ユーザの口元から溢出又は漏出するようなことはなく、容易に飲用可能なように注出される。
【００４３】
注出口２１は、筒状部３と注出壁部１８の相互間に形成されるので、別途、複雑な形状又は構造とした注出口部材を設ける必要はなく、アタッチメント５をシンプルに構成することができる。
【００４４】
注出壁部１８を角度θで傾斜させることによりガイド面２２を形成しているので、注出口２１が出口側の開口縁２ａに向けて次第に窄められ、これにより、注出される飲料Ｄの流束と流速を飲み易いように制御する。
【００４５】
例えば、飲用中、ボトル４に予期しない衝撃や振動が加えられ、ボトル４の内部で飲料Ｄが波打ち状に変動するような場合でも、注出方向に窄められた注出口２１により、注出される飲料Ｄの流束と流速を一定となるように制御し、飲用を容易とする。また、このようなとき、ボトル４の内部で飛び跳ねた飲料Ｄが通気口部１９から溢出したとしても、溢出する飲料Ｄは、皿状体１５の底壁１３に沿って注出壁部１８に流下するので、該注出壁部１８から注出口２１に向けて集束される。従って、ユーザの口元から溢出ないし漏出するようなことはない。
【図面の簡単な説明】
【００４６】
【図１】本発明の１実施形態を示す正面図である。
【図２】図１のＡ−Ａ断面の部分的拡大図である。
【図３】図２のＢ−Ｂ断面の部分的拡大図である。
【図４】飲用中の作用を示す部分的断面図である。
【図５】保冷容器を装着したアタッチメントを示すと共に、ボトルの筒状部を切欠状態で示す斜視図である。
【図６】ボトルの筒状部に内嵌されたアタッチメントの構成を示しており、（Ａ）は図５の第１直径方向Ｘ１に沿う断面図、（Ｂ）は図５の第２直径方向Ｘ２に沿う断面図である。
【図７】栓体を取外した保冷容器とアタッチメントを分解した状態の斜視図である。
【図８】栓体を装着した保冷容器とアタッチメントを分解すると共に倒立させた状態の斜視図である。
【符号の説明】
【００４７】
１  飲料容器
２  開口部
２ａ  開口縁
３  筒状部
４  ボトル
５  アタッチメント
６  保冷容器
７  キャップ
８  開口壁部
９  段部
１０  内壁部
１３  底壁
１４  周壁
１５  皿状体
１６  嵌合壁部
１７  フランジ部
１７ａ  延長フランジ部
１８  注出壁部
１９  通気口部
２０  摘み片
２１  注出口
２２  ガイド面
２３  通気路
２４  首部
２５  開口
２６  栓体
２７  栓部
２８  容器フランジ
２９  栓体フランジ
３０  保持レール
３１  導入部
【図１】
2010111406.tif 000003
【図２】
2010111406.tif 000004
【図３】
2010111406.tif 000005
【図４】
2010111406.tif 000006
【図５】
2010111406.tif 000007
【図６】
2010111406.tif 000008
【図７】
2010111406.tif 000009
【図８】
2010111406.tif 000010
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
上部に開口部(2)を有する筒状部(3)を設けたボトル(4)と、前記筒状部に着脱自在に内嵌されるアタッチメント(5)と、ボトルの内部で前記アタッチメントに吊持される保冷容器(6)と、前記筒状部の開口部を着脱自在に施蓋するキャップ(7)とから成り、筒状部の開口縁(2a)にユーザの唇を当てた状態でボトルを傾けることにより開口部から注出する飲料を飲用するように構成した飲料容器において、
前記ボトルの筒状部(3)は、開口部(2)の内周縁部に開口壁部(8)を形成すると共に、該開口壁部の下端から内向きに形成されたほぼ水平の段部(9)を介して内壁部(10)を下向きに延設し、
前記アタッチメント(5)は、底壁(13)と周壁(14)を備えた皿状体(15)を構成し、該皿状体の直径方向であって相互に直交する第１直径方向Ｘ１と第２直径方向Ｘ２に関して、
前記皿状体(15)の第１直径方向Ｘ１の両側に位置して前記内壁部(10)に内嵌される嵌合壁部(16)(16)を形成すると共に、該嵌合壁部の上端に前記段部(9)に載置されるフランジ部(17)を形成し、
前記皿状体(15)の第２直径方向Ｘ２の両側のうち、一方の側に位置して前記内壁部(10)から離間する注出壁部(18)を形成し、他方の側に位置して通気口部(19)を形成しており、
前記アタッチメント(5)を筒状部(3)に内嵌した状態で、ボトル内部の飲料を注出する注出口(21)を前記内壁部(10)と注出壁部(18)の間に形成すると共に、外気をボトル内部に導入する通気路(23)を前記注出壁部(18)に対向する通気口部(19)により形成して成り、
前記保冷容器(6)は、上部開口(25)を形成する首部(24)の上端に容器フランジ(28)を備えると共に、該首部(24)に着脱自在に挿入される栓体(26)に前記容器フランジ(28)の上に重ね合わせられる栓体フランジ(29)を備えており、
前記アタッチメント(5)は、前記重ね合わせられた上下のフランジ(29)(28)を着脱自在に挟持する保持レール(30)を設けており、
前記保持レール(30)は、前記上下のフランジ(29)(28)を受け入れる導入部(31)(31)から該フランジの周方向に沿うようにほぼＵ形に延設されて成ることを特徴とする飲料容器。
【請求項２】
前記注出壁部(18)は、皿状体(15)の底壁(13)から注出口(21)に向けて傾斜するように形成され、前記通気口部(19)は、底壁(13)に臨むように形成されて成ることを特徴とする請求項１に記載の飲料容器。
【手続補正２】
【補正対象書類名】明細書
【補正対象項目名】０００９
【補正方法】変更
【補正の内容】
【０００９】
本発明は、上記課題を解決した飲料容器を提供するものであり、その手段として構成したところは、上部に開口部(2)を有する筒状部(3)を設けたボトル(4)と、前記筒状部に着脱自在に内嵌されるアタッチメント(5)と、ボトルの内部で前記アタッチメントに吊持される保冷容器(6)と、前記筒状部の開口部を着脱自在に施蓋するキャップ(7)とから成り、筒状部の開口縁(2a)にユーザの唇を当てた状態でボトルを傾けることにより開口部から注出する飲料を飲用するように構成した飲料容器において、
前記ボトルの筒状部(3)は、開口部(2)の内周縁部に開口壁部(8)を形成すると共に、該開口壁部の下端から内向きに形成されたほぼ水平の段部(9)を介して内壁部(10)を下向きに延設し、
前記アタッチメント(5)は、底壁(13)と周壁(14)を備えた皿状体(15)を構成し、該皿状体の直径方向であって相互に直交する第１直径方向Ｘ１と第２直径方向Ｘ２に関して、
前記皿状体(15)の第１直径方向Ｘ１の両側に位置して前記内壁部(10)に内嵌される嵌合壁部(16)(16)を形成すると共に、該嵌合壁部の上端に前記段部(9)に載置されるフランジ部(17)を形成し、
前記皿状体(15)の第２直径方向Ｘ２の両側のうち、一方の側に位置して前記内壁部(10)から離間する注出壁部(18)を形成し、他方の側に位置して通気口部(19)を形成しており、
前記アタッチメント(5)を筒状部(3)に内嵌した状態で、ボトル内部の飲料を注出する注出口(21)を前記内壁部(10)と注出壁部(18)の間に形成すると共に、外気をボトル内部に導入する通気路(23)を前記注出壁部(18)に対向する通気口部(19)により形成して成り、
前記保冷容器(6)は、上部開口(25)を形成する首部(24)の上端に容器フランジ(28)を備えると共に、該首部(24)に着脱自在に挿入される栓体(26)に前記容器フランジ(28)の上に重ね合わせられる栓体フランジ(29)を備えており、
前記アタッチメント(5)は、前記重ね合わせられた上下のフランジ(29)(28)を着脱自在に挟持する保持レール(30)を設けており、
前記保持レール(30)は、前記上下のフランジ(29)(28)を受け入れる導入部(31)(31)から該フランジの周方向に沿うようにほぼＵ形に延設されて成る点にある。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１７
【補正方法】変更
【補正の内容】
【００１７】
注出口２１は、筒状部３と注出壁部１８の相互間に形成される構成であるから、別途、複雑な形状又は構造とした注出口部材を設ける必要はなく、アタッチメント５をシンプルに構成するだけで所期の効果を実現できる。
そして、本発明によれば、保冷容器６に栓体２６を装着した状態で、相互に重ね合わせられた容器フランジ２８と栓体フランジ２９を導入部３１、３１からＵ形に延びる保持レール３０に装着する構成とされ、保持レール３０により上下のフランジ２８、２９を挟持するものであるから、アタッチメント５に対する保冷容器６の取付固定状態が安定し、ボトル４の内部で栓体２６と保冷容器６が相互に離脱し、蓄冷手段Ｃを飲料Ｄに混入させるような事故を生じるおそれはない。
【手続補正６】
【補正対象書類名】明細書
【補正対象項目名】００１８
【補正方法】変更
【補正の内容】
【００１８】
また、請求項２に記載の本発明によれば、注出壁部１８は、皿状体１５の底壁１３から注出口２１に向けて傾斜するように形成されているので、注出口２１が出口側の開口縁２ａに向けて次第に窄められ、これにより、注出される飲料Ｄの流束と流速を飲み易いように制御する。
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】